(57)【特許請求の範囲】
【請求項１】
光アクセスノードの管理方法であって、
光アクセスノードにおいて、1つ以上の管理端末ノードを確立して前記管理端末ノードを含む内部操作・管理・メンテナンスドメインを構成し、及び、
管理端末ノードの間でイーサネット（登録商標）操作・管理・メンテナンスメッセージを発信し、ユーザーの仮想ローカルエリアネットワークの属性に基づいて、前記操作・管理・メンテナンスメッセージにおいて、前記ユーザーの仮想ローカルエリアネットワークの属性に対応する仮想ローカルエリアネットワークの標識を携え、前記光アクセスノードが多対一の仮想ローカルエリアネットワークの業務環境にあると、前記イーサネットの操作・管理・メンテナンスメッセージに携えた仮想ローカルエリアネットワーク標識が、多対一仮想ローカルエリアネットワーク業務環境におけるユーザーのユーザー標識に対応する光ネットワークユニットのユーザー側のネットワークインターフェースの仮想ローカルエリアネットワーク標識であり、前記光アクセスノードが一対一の仮想ローカルエリアネットワーク業務環境にあると、前記イーサネットの操作・管理・メンテナンスメッセージに携えた仮想ローカルエリアネットワーク標識が、一対一仮想ローカルエリアネットワーク業務環境におけるユーザーの業務標識に対応する光ネットワークユニットのユーザー側のネットワークインターフェースの仮想ローカルエリアネットワーク標識であることを含み、
ここで、光アクセスノードにおいて、1つ以上の管理端末ノードを確立して、且つ前記管理端末ノードを含む内部操作・管理・メンテナンスドメインを構成するステップは、光加入者線端局装置のネットワーク側のインターフェースで管理端末ノード1を確立し、光ネットワークユニットのユーザー側のネットワークインターフェースで管理端末ノード2を確立し、内部操作・管理・メンテナンスエリアを構成することが含まれる光アクセスノードの管理方法。
【請求項２】
管理端末ノードの間にイーサネットの操作・管理・メンテナンスメッセージを発信するステップは、前記管理端末ノード1と管理端末ノード2の中の一つのノードをテスト開始ノードとし、他の1つのノードをテスト終了ノードとすること、
前記テスト開始ノードが、前記テスト終了ノードにイーサネットの操作・管理・メンテナンスメッセージを発送すること、及び、前記テスト終了ノードが、前記イーサネットの操作・管理・メンテナンスメッセージを受信した後、前記テスト開始ノードに応答を返信することを含んでいる請求項１に記載の管理方法。
【請求項３】
前記方法は、前記テスト開始ノードが前記テスト終了ノードにイーサネットの操作・管理・メンテナンスメッセージを発信するステップの後に、さらに、
前記テスト開始ノードが前記テスト終了ノードのイーサネットの操作・管理・メンテナンスメッセージに対する応答を受けると、前記内部操作・管理・メンテナンスエリア内にイーサネットの接続性が正常であると判断し、前記テスト開始ノードが前記テスト終了ノードのイーサネットの操作・管理・メンテナンスメッセージに対する応答を受けないと、前記内部操作・管理・メンテナンスエリア内にイーサネットの接続性が異常であると判断することを含んでいる請求項２に記載の管理方法。
【請求項４】
光アクセスノードにおいて、1つ以上の管理端末ノードを確立して、前記管理端末ノードを含む内部操作・管理・メンテナンスエリアを構成するステップは、
光加入者線端局装置のネットワーク側のインターフェースに管理端末ノード1を確立し、光加入者線端局装置の物理的なインターフェースにメンテナンス中間ノードを確立し、光ネットワークユニットのユーザー側のネットワークインターフェースに管理端末ノード2を確立し、内部操作・管理・メンテナンスエリアを構成することが含まれ、
管理端末ノードの間にイーサネットの操作・管理・メンテナンスメッセージを発信するステップは、
前記管理端末ノード1と管理端末ノード2中の一つのノードをテスト開始ノードとし、他の1つのノードをテスト終了ノードとすること、
前記テスト開始ノードが前記メンテナンス中間ノードにイーサネットの操作・管理・メンテナンスメッセージを発信し、
前記メンテナンス中間ノードが前記イーサネットの操作・管理・メンテナンスメッセージを受信した後、前記テスト開始ノードに応答を返信して前記テスト終了ノードに前記イーサネットの操作・管理・メンテナンスメッセージを転送すること、及び、前記テスト終了ノードが前記イーサネットの操作・管理・メンテナンスメッセージを受信した後、前記テスト開始ノードに応答を返信することを含んでいる請求項１に記載の管理方法。
【請求項５】
前記方法は、さらに、前記テスト開始ノードが前記メンテナンス中間ノードにイーサネットの操作・管理・メンテナンスメッセージを発送するステップの後に、前記テスト開始ノードが前記メンテナンス中間ノードの応答を受けたが、前記テスト終了ノードの応答を受けないと、前記テスト開始ノードが、前記内部操作・管理・メンテナンスエリア中のイーサネットの接続性に関する故障点が光加入者線端局装置の物理的なインターフェースと光ネットワークユニットのユーザー側のネットワークインターフェースとの間に存在すると判断されることを含んでいる請求項４に記載の管理方法。
【請求項６】
前記イーサネット操作・管理・メンテナンスメッセージにおいて、このイーサネット操作・管理・メンテナンスメッセージのタイプがループ・バックまたはトレースであることも指示している請求項２または４に記載の管理方法。
【請求項７】
前記イーサネットの操作・管理・メンテナンスメッセージにおいて、このイーサネットの操作・管理・メンテナンスメッセージのノードの物理層におけるアドレスと、このイーサネットの操作・管理・メンテナンスメッセージを受信するノードの物理層におけるアドレスとを更に含んでいる請求項２または４に記載の管理方法。
【請求項８】
光アクセスノードであって、
光アクセスノードにおいて、1つ以上の管理端末ノードを確立して、前記管理端末ノードを含む内部操作・管理・メンテナンスエリアを構成し、管理端末ノードの間でイーサネット操作・管理・メンテナンスメッセージを発信し、ユーザーの仮想ローカルエリアネットワークの属性に基づいて、前記操作・管理・メンテナンスメッセージにおいて、前記ユーザーの仮想ローカルエリアネットワークの属性と対応する仮想ローカルエリアネットワークの標識を携え、前記光アクセスノードが多対一の仮想ローカルエリアネットワークの業務環境にあると、前記イーサネットの操作・管理・メンテナンスメッセージに携えた仮想ローカルエリアネットワーク標識が、多対一仮想ローカルエリアネットワーク業務環境におけるユーザーのユーザー標識に対応する光ネットワークユニットのユーザー側のネットワークインターフェースの仮想ローカルエリアネットワーク標識であり、前記光アクセスノードが一対一の仮想ローカルエリアネットワーク業務環境にあると、前記イーサネットの操作・管理・メンテナンスメッセージに携えた仮想ローカルエリアネットワーク標識が、一対一仮想ローカルエリアネットワーク業務環境におけるユーザーの業務標識に対応する光ネットワークユニットのユーザー側のネットワークインターフェースの仮想ローカルエリアネットワーク標識であるように設置され、
ここで、前記光アクセスノードは、光加入者線端局装置のネットワーク側のインターフェースに管理端末ノード1が確立され、光ネットワークユニットのユーザー側のネットワークインターフェースに管理端末ノード2が確立され、内部操作・管理・メンテナンスエリアを構成するような方式で、1つ以上の管理端末ノードを確立しているように設置される光アクセスノード。
【請求項９】
前記管理端末ノード1は、前記管理端末ノード2にイーサネットの操作・管理・メンテナンスメッセージを発信し、及び、前記管理端末ノード2のこのイーサネットの操作・管理・メンテナンスメッセージに対する応答を受けた後、前記内部操作・管理・メンテナンスエリア内のイーサネットの接続性が正常であると判断し、前記管理端末ノード2のこのイーサネットの操作・管理・メンテナンスメッセージに対する応答を受けないと、前記内部操作・管理・メンテナンスエリア内のイーサネットの接続性が異常であると判断するように設置され、
前記管理端末ノード2は、前記イーサネットの操作・管理・メンテナンスメッセージを受けた後、前記管理端末ノード1に応答を返信するように設置される請求項８に記載の光アクセスノード。
【請求項１０】
前記光アクセスノードは、光加入者線端局装置のネットワーク側のインターフェースに管理端末ノード1が確立され、光ネットワークユニットのユーザー側のネットワークインターフェースに管理端末ノード2が確立されるような方式で1つ以上の管理端末ノードを確立するように設置され、及び、
前記光アクセスノードは、光加入者線端局装置の物理的なインターフェースにメンテナンス中間ノードが確立され、前記管理端末ノード1、管理端末ノード2及びメンテナンス中間ノードにより内部操作・管理・メンテナンスエリアを構成するようにまた設置され、
前記管理端末ノード1は、前記メンテナンス中間ノードにイーサネットの操作・管理・メンテナンスメッセージを発信して、及び、前記メンテナンス中間ノードの応答を受けたが、前記管理端末ノード2の応答を受けないと、前記内部操作・管理・メンテナンスエリア中のイーサネットの接続性に関する故障点が光加入者線端局装置の物理的なインターフェースと光ネットワークユニットのユーザー側のネットワークインターフェースとの間にあると判断するように設置され、
前記メンテナンス中間ノードは、前記イーサネットの操作・管理・メンテナンスメッセージを受けた後、前記管理端末ノード1に応答を返信し、且つ前記管理端末ノード2に前記イーサネット操作・管理・メンテナンスメッセージを転送するように設置され、
前記管理端末ノード2は、前記イーサネット操作・管理・メンテナンスメッセージを受けた後、前記管理端末ノード1に応答を返信する請求項８に記載の光アクセスノード。
【請求項１１】
前記イーサネットの操作・管理・メンテナンスメッセージにおいて、このイーサネットの操作・管理・メンテナンスメッセージのタイプがループ・バックまたはトレースであることも指示する請求項９または１０に記載の光アクセスノード。
【請求項１２】
前記イーサネットの操作・管理・メンテナンスメッセージにおいて、さらに、このイーサネットの操作・管理・メンテナンスメッセージを発信するノードの物理層におけるアドレスと、このイーサネットの操作・管理・メンテナンスメッセージを受信するノードの物理層におけるアドレスとを含んでいる請求項９または１０に記載の光アクセスノード。
【発明の詳細な説明】
【技術分野】
【０００１】
本発明は、光通信分野に関し、特に、受動光ネットワーク（Passive Optical Network、 PONと略称する）システムにおける光加入者線端局装置（Optical Line Terminal、OLTと略称する）と光ネットワークユニット（Optical Network Unit、 ONUと略称する）との間が光アクセスノードを形成する管理方法に関する。
【背景技術】
【０００２】
広帯域フォーラム（Broadband Forum、BBFと略称する）標準TR101における第七章の操作・管理・メンテナンス（Operation 、Administration 、Maintenance、OAMと略称する）において、イーサネット（登録商標）に基づくネットワークにアクセスするメンテナンス方法を定義している。この章の定義中で、IEEE標準802.1agの方法に基づき、アクセスネットワークの実際状況を参考し、ユーザー（Customer）、 キャリア（Carrier）、 キャリアの内部（Intra-Carrier）及びエンドアクセスリンク（Access Link）の四つの層別の管理エリアをそれぞれ定義している。各々の領域において、二つのポートの間には、エンドノード（maintenance end point、MEPと略称する）をメンテナンスする機能を実現し、リンク間には、中間ノード（maintenance intermediate point、MIPと略称する）をメンテナンスする機能を実現する。MEPノードとMIPノードとの間には、メッセージのイーサネットOAMメッセージの発信、転送及び返信を行うことで、具体的なイーサネットの中断故障のエリアを測定することを助ける。
【０００３】
この標準に定義された四つのメンテナンス管理ドメインの主な機能は、イーサネットレベル上にキャリアにポートーポートの方法を提供し、キャリアがリンク故障の診断と確定を行うことを助ける。既存のアクセス技術は、主としてデジタル加入者線（Digital Subscriber Line、DSLと略称する）技術であるので、アクセスノード（Access Node）は、主に1つの独立のデジタル加入者線がマルチプレクサ（Digital Subscriber Line Access Multiplexer、DSLAMと略称する）機器にアクセスされることを体現している。アクセスネットワークにPON技術が導入された後、本来単独なアクセスノードは、すでに1つのOLT、ONU、光分配ネットワーク（Optical Distribution Network、ODNと略称する）と共に形成したネットワークに拡張された。
【０００４】
このため、TR101中の従来のイーサネット受動光ネットワーク（Ethernet(登録商標) Passive Optical Network、と略称するEPON）によって、IEEE 802.3ah標準がOLTとONUとの間の物理層における故障の簡単な診断方法（すなわち、ループ・バックとビット誤り率への測定）を提供したが、物理層より高くなる光リンクのイーサネットレベルについては、具体的なメンテナンス・管理方法を確定しなかった。
【発明の概要】
【発明が解決しようとする課題】
【０００５】
従来のTR101に定義された4個のメンテナンス・管理ドメインと定義されたメンテナンス・管理方法に応じて、実際に、OLTが従来の定義によって主動的にアクセスノードにおけるOLTとONUとの間のイーサネットレベルの故障の診断と確定を行えなく、受動的に応答するのみであり、受動的に応答しても、最終的な測定結果を得らなく、OLTとONUとの間にイーサネット層のリンクが正常に作動するかどうかを判断できない。
【０００６】
本発明が解決しようとする技術問題は、光アクセスノードの内部のOLTとONUとの間で、イーサネットレベルの故障の診断メカニズムを提供するとともに、キャリアがアクセスノード内部の業務レベルの故障点を確定することに用いられる光アクセスノードの管理方法及び光アクセスノードを提供する。
【課題を解決するための手段】
【０００７】
上記問題を解決するために、本発明は、光アクセスノードの管理方法であって、
光アクセスノードにおいて、1つ以上の管理端末ノードを確立して前記管理端末ノードを含む内部操作・管理・メンテナンスエリアを構成し、及び、
管理端末ノードの間でイーサネット操作・管理・メンテナンスメッセージを発信し、ユーザーの仮想ローカルエリアネットワークの属性に基づいて、前記操作・管理・メンテナンスメッセージにおいて、前記ユーザーの仮想ローカルエリアネットワークの属性に対応する仮想ローカルエリアネットワークの標識を携えていることを含んでいる光アクセスノードの管理方法。
【０００８】
光アクセスノードにおいて、1つ以上の管理端末ノードを確立して、且つ前記管理端末ノードを含む内部操作・管理・メンテナンスエリアを構成するステップは、光加入者線端局装置のネットワーク側のインターフェースで管理端末ノード1を確立し、光ネットワークユニットのユーザー側のネットワークインターフェースで管理端末ノード2を確立し、内部操作・管理・メンテナンスエリアを構成することが含まれ、
管理端末ノードの間にイーサネットの操作・管理・メンテナンスメッセージを発信するステップは、前記管理端末ノード1と管理端末ノード2の中の一つのノードをテスト開始ノードとし、他の1つのノードをテスト終了ノードとすること、
前記テスト開始ノードが、前記テスト終了ノードにイーサネットの操作・管理・メンテナンスメッセージを発送すること、及び、前記テスト終了ノードが、前記イーサネットの操作・管理・メンテナンスメッセージを受信した後、前記テスト開始ノードに応答を返信することを含んでいる。
【０００９】
前記方法は、前記テスト開始ノードが前記テスト終了ノードにイーサネットの操作・管理・メンテナンスメッセージを発信するステップの後に、さらに、
前記テスト開始ノードが前記テスト終了ノードのイーサネットの操作・管理・メンテナンスメッセージに対する応答を受けると、前記内部操作・管理・メンテナンスエリア内にイーサネットの接続性が正常であると判断し、前記テスト開始ノードが前記テスト終了ノードのイーサネットの操作・管理・メンテナンスメッセージに対する応答を受けないと、前記内部操作・管理・メンテナンスエリア内にイーサネットの接続性が異常であると判断することを含んでいる。
【００１０】
光アクセスノードにおいて、1つ以上の管理端末ノードを確立して、前記管理端末ノードを含む内部操作・管理・メンテナンスエリアを構成するステップは、
光加入者線端局装置のネットワーク側のインターフェースに管理端末ノード1を確立し、光加入者線端局装置の物理的なインターフェースにメンテナンス中間ノードを確立し、光ネットワークユニットのユーザー側のネットワークインターフェースに管理端末ノード2を確立し、内部操作・管理・メンテナンスエリアを構成することが含まれ、
管理端末ノードの間にイーサネットの操作・管理・メンテナンスメッセージを発信するステップは、
前記管理端末ノード1と管理端末ノード2中の一つのノードをテスト開始ノードとし、他の1つのノードをテスト終了ノードとすること、
前記テスト開始ノードが前記メンテナンス中間ノードにイーサネットの操作・管理・メンテナンスメッセージを発信し、
前記メンテナンス中間ノードが前記イーサネットの操作・管理・メンテナンスメッセージを受信した後、前記テスト開始ノードに応答を返信して前記テスト終了ノードに前記イーサネットの操作・管理・メンテナンスメッセージを転送すること、及び、前記テスト終了ノードが前記イーサネットの操作・管理・メンテナンスメッセージを受信した後、前記テスト開始ノードに応答を返信することを含んでいる。
【００１１】
前記方法は、さらに、前記テスト開始ノードが前記メンテナンス中間ノードにイーサネットの操作・管理・メンテナンスメッセージを発送するステップの後に、前記テスト開始ノードが前記メンテナンス中間ノードの応答を受けたが、前記テスト終了ノードの応答を受けないと、前記テスト開始ノードは、前記内部操作・管理・メンテナンスエリア中のイーサネットの接続性に関する故障点が光加入者線端局装置の物理的なインターフェースと光ネットワークユニットのユーザー側のネットワークインターフェースとの間に存在すると判断されることがまた含まれる。
【００１２】
前記光アクセスノードが多対一の仮想ローカルエリアネットワークの業務環境にあると、前記イーサネットの操作・管理・メンテナンスメッセージにおいて、ユーザーの多対一業務の仮想ローカルエリアネットワーク業務環境における光ネットワークユニットのユーザー側のネットワークインターフェーの仮想ローカルエリアネットワーク標識を携え、前記光アクセスノードが一対一の仮想ローカルエリアネットワーク業務環境にあると、前記イーサネットの操作・管理・メンテナンスメッセージにおいて、ユーザーの一対一業務の仮想ローカルエリアネットワーク業務環境における光ネットワークユニットのユーザー側のネットワークインターフェースの仮想ローカルエリアネットワーク標識を携えている。
前記イーサネット操作・管理・メンテナンスメッセージにおいて、このイーサネット操作・管理・メンテナンスメッセージのタイプがループ・バックまたはトレースであることも指示している。
【００１３】
前記イーサネットの操作・管理・メンテナンスメッセージにおいて、このイーサネットの操作・管理・メンテナンスメッセージのノードの物理層におけるアドレスと、このイーサネットの操作・管理・メンテナンスメッセージを受信するノードの物理層におけるアドレスが更に含まれる。
【００１４】
上記技術問題を解決しようとするために、本発明は、さらに、光アクセスノードを提供し、
上記光アクセスノードは、光アクセスノードにおいて、1つ以上の管理端末ノードを確立して、前記管理端末ノードを含む内部操作・管理・メンテナンスエリアを構成し、管理端末ノードの間でイーサネット操作・管理・メンテナンスメッセージを発信し、ユーザーの仮想ローカルエリアネットワークの属性に基づいて、前記操作・管理・メンテナンスメッセージにおいて、前記ユーザーの仮想ローカルエリアネットワークの属性と対応する仮想ローカルエリアネットワークの標識を携えているように設置される光アクセスノード。
【００１５】
前記光アクセスノードは、光加入者線端局装置のネットワーク側のインターフェースに管理端末ノード1が確立され、光ネットワークユニットのユーザー側のネットワークインターフェースに管理端末ノード2が確立され、内部操作・管理・メンテナンスエリアを構成するような方式で、1つ以上の管理端末ノードを確立しているように設置され、
前記管理端末ノード1は、前記管理端末ノード2にイーサネットの操作・管理・メンテナンスメッセージを発信し、及び、前記管理端末ノード2のこのイーサネットの操作・管理・メンテナンスメッセージに対する応答を受けた後、前記内部操作・管理・メンテナンスエリア内のイーサネットの接続性が正常であると判断し、前記管理端末ノード2のこのイーサネットの操作・管理・メンテナンスメッセージに対する応答を受けないと、前記内部操作・管理・メンテナンスエリア内のイーサネットの接続性が異常であると判断するように設置され、
前記管理端末ノード2は、前記イーサネットの操作・管理・メンテナンスメッセージを受けた後、前記管理端末ノード1に応答を返信するように設置される。
【００１６】
前記光アクセスノードは、光加入者線端局装置のネットワーク側のインターフェースに管理端末ノード1が確立され、光ネットワークユニットのユーザー側のネットワークインターフェースに管理端末ノード2が確立されるような方式で1つ以上の管理端末ノードを確立するように設置され、及び、
前記光アクセスノードは、光加入者線端局装置の物理的なインターフェースにメンテナンス中間ノードが確立され、前記管理端末ノード1、管理端末ノード2及びメンテナンス中間ノードにより内部操作・管理・メンテナンスエリアを構成するようにまた設置され、
前記管理端末ノード1は、前記メンテナンス中間ノードにイーサネットの操作・管理・メンテナンスメッセージを発信して、及び、前記メンテナンス中間ノードの応答を受けたが、前記管理端末ノード2の応答を受けないと、前記内部操作・管理・メンテナンスエリア中のイーサネットの接続性に関する故障点が光加入者線端局装置の物理的なインターフェースと光ネットワークユニットのユーザー側のネットワークインターフェースとの間にあると判断するように設置され、
前記メンテナンス中間ノードは、前記イーサネットの操作・管理・メンテナンスメッセージを受けた後、前記管理端末ノード1に応答を返信し、且つ前記管理端末ノード2に前記イーサネット操作・管理・メンテナンスメッセージを転送するように設置され、
前記管理端末ノード2は、前記イーサネット操作・管理・メンテナンスメッセージを受けた後、前記管理端末ノード1に応答を返信する。
【００１７】
前記光アクセスノードが多対一の仮想ローカルエリアネットワークの業務環境にあると、前記イーサネットの操作・管理・メンテナンスメッセージにおいて、ユーザーの多対一業務の仮想ローカルエリアネットワーク業務環境における光ネットワークユニットのユーザー側のネットワークインターフェーの仮想ローカルエリアネットワーク標識を携え、前記光アクセスノードが一対一の仮想ローカルエリアネットワーク業務環境にあると、前記イーサネットの操作・管理・メンテナンスメッセージにおいて、ユーザーの一対一業務の仮想ローカルエリアネットワーク業務環境における光ネットワークユニットのユーザー側のネットワークインターフェースの仮想ローカルエリアネットワーク標識を携えている。
【００１８】
前記イーサネットの操作・管理・メンテナンスメッセージにおいて、このイーサネットの操作・管理・メンテナンスメッセージのタイプがループ・バックまたはトレースであることも指示する。
【００１９】
前記イーサネットの操作・管理・メンテナンスメッセージにおいて、このイーサネットの操作・管理・メンテナンスメッセージを発信するノードの物理層におけるアドレスと、このイーサネットの操作・管理・メンテナンスメッセージを受信するノードの物理層におけるアドレスとをさらに含んでいる。
【００２０】
本発明は、光アクセスノード内部OLTとONUの間のイーサネットレベルの故障の診断メカニズムを提供し、且つ伝統的なイーサネットOAMフレームフォーマットが単一で、TR101 仮想ローカルエリアネットワーク（Virtual Local Area Network、VLANと略称する）業務テンプレートに適しない制限を乗り越えることができ、且つ本発明による方法を使用する際、業務の運行に影響はなく、キャリアがTR101VLANのアーキテクチャで、 光アクセスノードのイーサネットメンテナンスへの需要を解決することを助ける。
【図面の簡単な説明】
【００２１】
【図１】実施例に係る受動光ネットワークにおける光アクセスノードの形成構造図である。
【図２】実施例に係る受動光ネットワークにおける光アクセスノードの管理方法の流れ図である。
【発明を実施するための形態】
【００２２】
図1に示すように、光アクセスノードは、OLT、ODN及びONUにより構成している。
【００２３】
光アクセスノードは、光アクセスノードにおいて、1つ以上の管理端末ノードを確立して、管理端末ノードの間でイーサネット操作・管理・メンテナンスメッセージを発信することで、内部操作・管理・メンテナンスエリア内のイーサネットの接続性が正常かどうかを判断し、ユーザーの仮想ローカルエリアネットワークの属性に基づいて、上記操作・管理・メンテナンスメッセージにおいて、ユーザーの仮想ローカルエリアネットワークの属性に対応する仮想ローカルエリアネットワークの標識を携えているように設置される。
【００２４】
実施形態1の場合に、光アクセスノードは、光加入者線端局装置のネットワーク側のインターフェースに管理端末ノード1を確立し、光ネットワークユニットのユーザー側のネットワークインターフェースに管理端末ノード2を確立し、内部操作・管理・メンテナンスエリアを構成し、実施形態2の場合に、光アクセスノードは管理端末ノード1と管理端末ノード2を確立している以外に、光加入者線端局装置の物理的なインターフェースにメンテナンス中間ノードを確立し、内部操作・管理・メンテナンスエリアを構成する。
【００２５】
実施形態1の場合に、管理端末ノード1が管理端末ノード2にイーサネット操作・管理・メンテナンスメッセージを発信し、実施形態2の場合に、管理端末ノード1がメンテナンス中間ノードにイーサネット操作・管理・メンテナンスメッセージを発信し、且つこの光アクセスノードが多対一の仮想ローカルエリアネットワーク業務環境中にあるとき、イーサネットの操作・管理・メンテナンスメッセージにおいて、ユーザーの多対一業務の仮想ローカルエリアネットワーク業務環境における光ネットワークユニットのユーザー側のネットワークインターフェースの仮想ローカルエリアネットワーク標識を携え、この光アクセスノードが一対一の仮想ローカルエリアネットワーク業務環境中にあるとき、イーサネット操作・管理・メンテナンスメッセージにおいて、ユーザーの一対一業務の仮想ローカルエリアネットワーク業務環境における光ネットワークユニットのユーザー側のネットワークインターフェースの仮想ローカルエリアネットワーク標識を携え、実施形態1の場合に、管理端末ノード2がこのイーサネットの操作・管理・メンテナンスメッセージに対する応答を受けた後、内部操作・管理・メンテナンスエリア内のイーサネットの接続性が正常であると判断し、管理端末ノード2がこのイーサネットの操作・管理・メンテナンスメッセージに対する応答を受けないと、内部操作・管理・メンテナンスエリア内のイーサネットの接続性が異常であると判断する。実施形態2の場合に、メンテナンス中間ノードの応答を受けたが、管理端末ノード2の応答を受けないと、内部操作・管理・メンテナンスエリアにおけるイーサネットの接続性に関する故障点が光加入者線端局装置の物理的なインターフェースと光ネットワークユニットのユーザー側のネットワークのインターフェースとの間に存在すると判断する。
【００２６】
実施形態1と実施形態2の場合に、一定の時間内に管理端末ノード2の応答を受けたかどうかに基づいて、内部操作・管理・メンテナンスエリア内のイーサネットの接続性を判断し、この一定の時間の設置は、光ノードにおける異なるメッセージの流通への判定と対応する。異なる値は、標準802.1agにおいて部分的な提案値を有しているが、これらの提案値に限られるものではなく、実際の状況に応じてシステムの設備において設置を調整できる。
【００２７】
実施形態2の場合に、メンテナンス中間ノードは、イーサネットの操作・管理・メンテナンスメッセージを受信した後、管理端末ノード1に応答を返信し、且つ管理端末ノード2にイーサネットの操作・管理・メンテナンスメッセージを転送するように設置される。
管理端末ノード2は、イーサネット操作・管理・メンテナンスメッセージを受信した後、管理端末ノード1に応答を返すように設置される。
図2に示すように、受動光ネットワークにおける光アクセスノードの管理方法は、以下通りのステップを含む。
【００２８】
ステップ 201において、光アクセスノードにおいて、1つ以上の管理端末ノードを確立して、上記管理端末ノードを含む内部操作・管理・メンテナンスドメインを構成し、
ステップ202において、管理端末ノードの間でイーサネット操作・管理・メンテナンスメッセージを発信し、ユーザーの仮想ローカルエリアネットワークの属性に基づいて、上記操作・管理・メンテナンスメッセージにおいて、上記ユーザーの仮想ローカルエリアネットワークの属性に対応する仮想ローカルエリアネットワークの標識を携えている。
以下、実施例を参考し、本発明を詳細に説明する。
〔実施例1〕
実施例1において、二つのMEPノードが確立され、受動光ネットワークにおける光アクセスノードの管理方法は、以下のステップを含む。
【００２９】
ステップ11において、OLTのネットワーク側のインターフェース（すなわち、北方向のインターフェース）MEP1ノードを確立して、光ネットワークユニットのユーザー側のネットワークインターフェース（すなわち、南方向のインターフェース）にMEP2ノードを確立して、二つのMEPノードを独立のレベルの管理ノード（レベルで値を取るノードが他の従来のレベルで値を取るノードと全部異なる）と定義され、1つの独立の内部操作・管理・メンテナンスエリアを構成し、Intra-ANエリアと名づける。
【００３０】
ステップ12において、OLTは、この内部操作・管理・メンテナンスエリア内のイーサネットリンクの接続性を測定する必要があると、MEP1ノードとMEP2ノード中の一つのノードをテスト開始ノードとし、別の一つのノードをテスト終了ノードとし、すなわち、MEP1ノードがテスト開始ノードとされ、テストメッセージを起動し、MEP2ノードがテスト終了ノードとされ、或はMEP2ノードがテスト開始ノードとされてテストメッセージを起動し、MEP1ノードがテスト終了ノードとされ、
ステップ13において、テスト開始ノードは、テスト終了ノードとしてイーサネットOAMメッセージを発信し、イーサネットOAMメッセージの構造が表1に示すように、
【００３１】
イーサネットOAMメッセージの構造    
【表１】
0005504345.tif 000002
【００３２】
其の中、DAは、このメッセージを発信するインターフェースのMACアドレス（実施例1において、ONUのユーザー側ネットワークインターフェースのMACアドレスである）であり、
SAは、このメッセージの目標インターフェースのMACアドレス（この実施例1において、OLTのネットワーク側のインターフェースのMACアドレスである）であり、
VIDは、VLAN業務環境において光ネットワークユニットのユーザー側のネットワークインターフェースのVLAN標識であり、
Intra-AN MD Levelは、この内部操作・管理・メンテナンスエリアから設置してなる具体的な独立の等級であり、実際な状況に応じて定められ、
Messageは、このフレームの操作タイプを標識する指示であり、ONUに、対応する処理を行うことを要求し、ループ・バック（Loopback）またはトレース（Linktrace）操作を指示できる。 
【００３３】
上記VIDフィールドは、応用状況がONUのUNIインターフェースとOLTとの間にN:1 VLAN業務を行うのであれば、VIDフィールドは、多対一（N：1）のVLAN業務環境においてユーザーの仮想ローカルエリアネットワーク属性（ユーザー標識）に対応する光ネットワークユニットのユーザー側のネットワークインターフェースのVLAN標識であり、応用状況がONUのUNIインターフェースとOLTとの間に1:1 VLAN業務を行うのであれば、VIDフィールドは、一対一（1：1）のVLAN業務環境においてユーザーの仮想ローカルエリアネットワーク属性（業務標識）に対応する光ネットワークユニットのユーザー側のネットワークインターフェースのVLAN標識である。
【００３４】
N:1 VLANとは、1つの業務標識（S-VLAN）が複数のユーザーに対応し、各々のユーザーが自分のユーザー標識（C-VLAN）を有することを指す。1:1 VLANとは、各々のユーザーが自分の1つのS-VLAN標識を有することを指す。S-VLANを統一的に採用し、OAMフレームを標識すると、N:1 VLANの応用モードにおいて、ある1つの具体的なONUユーザーに対応するものを探すことができない。上記方法中で、N:1 VLANと1:1 VLAN二つの状況に区画され、イーサネットOAMメッセージを各々の具体的なユーザーに対応させるようにする。
【００３５】
ステップ14において、テスト終了ノードは、イーサネット操作・管理・メンテナンスメッセージを受信した後、テスト開始ノードに応答を返信し、
テスト終了ノードがイーサネットOAM応答メッセージを返信する構造は、表2のフォーマットであってもよい。
【００３６】
イーサネットOAM応答メッセージの構造
【表２】
0005504345.tif 000003
【００３７】
表2における前の四つのフィールドが表1に示すものと同じであり、五番目のフィールドは、このメッセージが応答メッセージである。
【００３８】
ステップ15において、テスト開始ノードは、テスト終了ノードのイーサネット操作・管理・メンテナンスメッセージに対する応答を受信した後、内部操作・管理・メンテナンスエリア内のイーサネットの接続性が正常であると判断し、テスト開始ノードは、テスト終了ノードのこのイーサネット操作・管理・メンテナンスメッセージに対する応答を受信しないと、内部操作・管理・メンテナンスエリア内のイーサネットの接続性が異常であると判断し、更に他の方法を採用して、具体的にOLTまたはONUに故障が存在するかを詳しく検査することができる。
【００３９】
〔実施例2〕
実施例2において、二つのMEPノードを確立して、すなわち、MEP1とMEP2であり、且つ、二つのMEPノードにおいて、1つのMIPノードを確立し、受動光ネットワーク中の光アクセスノードの管理方法は、以下のようなステップを含む。
【００４０】
ステップ21において、光加入者線端局装置のネットワーク側のインターフェースにMEP1ノードを確立し、光加入者線端局装置の物理的なインターフェースにメンテナンス中間ノードを確立し、光ネットワークユニットのユーザー側のネットワークインターフェースにMEP2を確立し、作り出したMEP1、MEP2及びMIPを独立のレベルの管理ノード（レベルで値を取るノードが他の従来のレベルで値を取るノードと全部異なる）と定義され、そうすると、一つの独立の管理エリアを構成し、Intra-ANエリアと名づける。
【００４１】
ステップ22において、OLTは、この内部操作・管理・メンテナンスエリア内におけるイーサネットリンクの故障点を確定する必要があると、MEP1ノードとMEP2ノード中の1つのノードをテスト開始ノードとし、他の1つをテスト終了ノードとし、すなわち、MEP1ノードをテスト開始ノードとしてテストメッセージを起動し、MEP2ノードをテスト終了ノードとし、或はMEP2ノードがテスト開始ノードとされ、テストメッセージを起動し、MEP1ノードがテスト終了ノードとされ、
ステップ23において、テスト開始ノードは、メンテナンス中間ノードにイーサネットOAMメッセージを発信し、イーサネットOAMメッセージの構造は、上記表1に示すように、且つ表1中の各々のフィールドの意味がステップ13中のものと同じである。
【００４２】
ステップ24において、メンテナンス中間ノードがイーサネットの操作・管理・メンテナンスメッセージを受信した後、テスト開始ノードに応答を返信し、且つテスト終了ノードにイーサネットの操作・管理・メンテナンスメッセージを転送し、テスト終了ノードがイーサネットの操作・管理・メンテナンスメッセージを受信したあと、テスト開始ノードに応答を返信し、
メンテナンス中間ノードとテスト終了ノードから返したイーサネットのOAM応答メッセージは、表2のフォーマットであってもよい。
【００４３】
ステップ25において、テスト開始ノードがメンテナンス中間ノードの応答を受信したが、テスト終了ノードの応答を受信しないと、内部操作・管理・メンテナンスエリア中のイーサネットの接続性の故障点が光加入者線端局装置の物理的なインターフェースと光ネットワークユニットのユーザー側のネットワークインターフェースとの間に存在すると判断し、OLT内部にイーサネットの接続性の故障が存在しなく、他の方法を採用して、具体的にODNまたはONUに故障が存在するかを詳しく検査しても良い。
【００４４】
以上記載は、本発明の好適な実施例に過ぎなく、本発明を制限するものではなく、当業者に対して、本発明が、各種の変更と修正を有することができる。本発明の趣旨と原則内においてなされたいずれかの修正、均等な置き換え、改善等は、いずれも、本発明の請求の範囲に含まれるべきだろう。 
【産業上の利用可能性】
【００４５】
本発明は、光アクセスノード内部OLTとONUとの間のイーサネットレベルの故障の診断メカニズムを提供し、且つ伝統的なイーサネットOAMフレームフォーマットが単一で、TR101 VLAN（Virtual Local Area Network、VLANと略称する）業務テンプレートに適用しない制限を乗り越えることができるとともに、本発明による方法を使用する際、業務の運行に影響はない、キャリアがTR101VLANのアーキテクチャで、 光アクセスノードのイーサネットメンテナンス需要を解決させたことに役立つ。
【図１】
0005504345.tif 000004
【図２】
0005504345.tif 000005